(57)【要約】【課題】着座者の姿勢を正しい状態に保持する機能を備えたまま軽量化することが可能な姿勢保持具を提供する。【解決手段】着座者４０の臀部４１に沿うように湾曲した表面１４を有して前記臀部４１を支持する臀部支持部１１と、左右方向の寸法が前記着座者４０の一対の腸骨４４の左右方向の寸法と同等であって前記臀部支持部１１の左右方向の寸法よりも小さい寸法とされ、前記左右方向における中央部よりも両側縁部が表側に位置するように湾曲した表面１４を有して前記着座者４０の腰部４３を支持する腰部支持部１３と、を備えている。【選択図】図１０
2016198420.tif 000002
【特許請求の範囲】
【請求項１】
着座者の臀部に沿うように湾曲した表面を有して前記臀部を支持する臀部支持部と、
左右方向の寸法が前記着座者の一対の腸骨の左右方向の寸法と同等であって前記臀部支持部の左右方向の寸法よりも小さい寸法とされ、前記左右方向における中央部よりも両側縁部が表側に位置するようにした表面を有して前記着座者の腰部を支持する腰部支持部と、を備えた姿勢保持具。
【請求項２】
前記腰部支持部の上端が、前記腸骨の上部近傍に位置している請求項１に記載の姿勢保持具。
【請求項３】
前記臀部支持部の前方に、前記左右方向における中央部よりも両側縁部が表側に位置するように湾曲した表面を有して前記着座者の大腿を支持する大腿支持部が備えられている請求項１または請求項２に記載の姿勢保持具。
【請求項４】
前記臀部支持部と前記腰部支持部との境界部に、前記左右方向における両側縁部が中央側に切り込まれて切り込み部が形成されている請求項１ないし請求項３のいずれか一項に記載の姿勢保持具。
【請求項５】
前記腰部支持部の前記左右方向における中央部に、上縁部が下側に切り込まれて切り込み部が形成されている請求項１ないし請求項４のいずれか一項に記載の姿勢保持具。
【請求項６】
前記臀部支持部の前方に、前記着座者の大腿を支持する大腿支持部が備えられ、
前記大腿支持部の左右方向における中央部に、前縁部が後側に切り込まれて切り込み部が形成されている請求項１ないし請求項５のいずれか一項に記載の姿勢保持具。
【発明の詳細な説明】
【技術分野】
【０００１】
本発明は、着座者の姿勢を正しい状態に保持する姿勢保持具に関する。
【背景技術】
【０００２】
従来、例えば椅子の座面に載せて使用することにより、その椅子に着座する者の姿勢を正しい状態に保持する姿勢保持具が知られている。この種の姿勢保持具として、例えば下記特許文献１に記載された椅子用クッションは、着座者の臀部が当接する座部と、着座者の背中が当接する背部とを備え、座部および背部はいずれも所定の厚さ寸法を有する略方形の厚板状に形成されている。そして、座部および背部の表面には、着座者の身体の各部位が納まるように各部位の当接箇所に曲面が形成されている。
【先行技術文献】
【特許文献】
【０００３】
【特許文献１】特開２０１４−１２１３０号公報
【発明の概要】
【発明が解決しようとする課題】
【０００４】
しかしながら、上記のような構成の姿勢保持具は、全体が略長方形の厚板状をなしていて比較的重いので、気軽に持ち運んで場所を問わず使用することには不向きであった。このため、着座者の姿勢を正しい状態に保持する機能を失うことなく軽量化された姿勢保持具が望まれていた。
【０００５】
本発明は上記のような事情に基づいて完成されたものであって、着座者の姿勢を正しい状態に保持する機能を備えたまま軽量化することが可能な姿勢保持具を提供することを目的とする。
【課題を解決するための手段】
【０００６】
本発明の姿勢保持具は、着座者の臀部に沿うように湾曲した表面を有して前記臀部を支持する臀部支持部と、左右方向の寸法が前記着座者の一対の腸骨の左右方向の寸法と同等であって前記臀部支持部の左右方向の寸法よりも小さい寸法とされ、前記左右方向における中央部よりも両側縁部が表側に位置するようにした表面を有して前記着座者の腰部を支持する腰部支持部と、を備えている。
【発明の効果】
【０００７】
本発明によれば、臀部支持部によって着座者の臀部が正しい位置に保持され、腰部支持部によって着座者の腸骨が左右後方両側から支持されることにより着座者の腰部が左右方向に正しい位置に保持されるから、着座者の姿勢を正しい状態に保持することができる。ここで、仮に腰部支持部の左右方向の寸法が着座者の腸骨の左右方向の寸法よりも大幅に大きい場合には、腰部支持部が腸骨ではない部分に当たりやすいため確実に腸骨を支持することが難しい。しかしながら、本発明においては、腰部支持部の左右方向の寸法が着座者の腸骨の左右方向の寸法と同等の寸法とされているから、確実に腸骨を支持することができる。また、腰部支持部の幅寸法が小さく抑えられているから軽量化することができ、もって、着座者の姿勢を正しい状態に保持する機能を備えたまま軽量化することができる。なお、一般に、着座者の身長差によって骨盤の大きさは大きく変わらないものとされている。
【図面の簡単な説明】
【０００８】
【図１】本実施例における姿勢保持具を示す斜視図
【図２】姿勢保持具を示す平面図
【図３】姿勢保持具を示す底面図
【図４】姿勢保持具を示す側面図
【図５】姿勢保持具を示す断面図であって、図２のＡ−Ａ位置における断面に相当する断面図
【図６】姿勢保持具を示す断面図であって、図２のＢ−Ｂ位置における断面に相当する断面図
【図７】姿勢保持具を示す断面図であって、図６のＣ−Ｃ位置における断面に相当する断面図
【図８】滑り止め部の係止構造を示す姿勢保持具の一部拡大断面図
【図９】使用状態を示す姿勢保持具の側断面図であって、図２のＢ−Ｂ位置における断面に相当する断面図
【図１０】使用状態を示す臀部支持部の断面図であって、図６のＤ−Ｄ位置における断面に相当する断面図
【図１１】使用状態を示す大腿支持部の断面図であって、図６のＥ−Ｅ位置における断面に相当する断面図
【発明を実施するための形態】
【０００９】
本発明の好ましい形態を以下に示す。
本発明の姿勢保持具は、前記腰部支持部の上端が、前記腸骨の上部近傍に位置しているものとしてもよい。このような構成によれば、腰部支持部が着座者の腸骨を適切に支持することができ、かつ腰部支持部の高さ寸法を小さく抑えることができるから、着座者の姿勢を正しい状態に保持する機能を備えたまま、より軽量化することができる。また、仮に腰部支持部の上端が着座者の腸骨よりも大幅に上方に位置する場合には、腰部支持部が腸骨ではない部分に当たりやすいため確実に腸骨を支持することは難しい。しかしながら、上記構成によれば、確実に腸骨を支持することができる。
【００１０】
また、本発明の姿勢保持具は、前記臀部支持部の前方に、前記左右方向における中央部よりも両側縁部が表側に位置するように湾曲した表面を有して前記着座者の大腿を支持する大腿支持部が備えられているものとしてもよい。このような構成によれば、着座者の大腿が左右両側から支持されるから、大腿が左右方向に開くことを防ぐことができる。
【００１１】
また、本発明の姿勢保持具は、前記臀部支持部と前記腰部支持部との境界部に、前記左右方向における両側縁部が中央側に切り込まれて切り込み部が形成されているものとしてもよい。このような構成によれば、臀部支持部および腰部支持部の弾性力が増すとともに、切り込み部を形成した分だけ軽量化されるから、臀部支持部および腰部支持部を着座者の体型に追従しやすくすることができ、かつさらなる軽量化を図ることができる。
【００１２】
また、本発明の姿勢保持具は、前記腰部支持部の前記左右方向における中央部に、上縁部が下側に切り込まれて切り込み部が形成されているものとしてもよい。このような構成によれば、腰部支持部の弾性力が増すとともに、切り込み部を形成した分だけ軽量化されるから、腰部支持部を着座者の体型に追従しやすくすることができ、かつさらなる軽量化を図ることができる。また、切り込み部を形成したことにより、腰部支持部が左右に分割されて着座者の一対の腸骨に対応した形態になるから、一対の腸骨をより的確に支持することができる。
【００１３】
また、本発明の姿勢保持具は、前記大腿支持部の左右方向における中央部に、前縁部が後側に切り込まれて切り込み部が形成されているものとしてもよい。このような構成によれば、大腿支持部の弾性力が増すとともに、切り込み部を形成した分だけ軽量化されるから、大腿支持部を着座者の体型に追従しやすくすることができ、かつさらなる軽量化を図ることができる。
【００１４】
＜実施例＞
以下、本発明を具体化した一実施例について、図１〜図１１を参照しつつ詳細に説明する。
本実施例における姿勢保持具１０は、着座者４０の臀部４１を支持する臀部支持部１１と、着座者４０の大腿４２を支持する大腿支持部１２と、着座者４０の腰部４３を支持する腰部支持部１３と、を備え、全体として蝶に似た形状をなすとともにボウル状に湾曲している。この姿勢保持具１０の表面（着座者４０の各部位が当接する面）１４は、着座者４０の腸骨４４近傍を押すことが可能な曲面によって構成されている。以下、各構成部材において、姿勢保持具１０のうち表面と反対側の面（椅子５０の座面５１等に当接する面）を裏面とし、また、着座者４０を基準としてその正面側を前方、反対側を後方、着座者４０の左右を左右方向として説明する。なお、姿勢保持具１０は左右対称な形状をなしている。  
【００１５】
姿勢保持具１０は、表面１４の湾曲形状と概ね同じように湾曲した形状に形成されたベース部１５の表側にクッション部１６が接着されてなる。ベース部１５は、例えばポリプロピレン等の合成樹脂製であって比較的硬く、厚さ寸法は概ね一定で薄くされている。
【００１６】
クッション部１６は、発砲ポリウレタン等からなる柔らかいものであり、ベース部１５の表面のほぼ全体を覆っている。クッション部１６には、他の部分よりも薄い部分（以後、薄肉部１６Ｎと称する）が、図２に示すように、蝶に似た形状を縁取るような線状をなして形成されている。そして、クッション部１６のうち薄肉部１６Ｎを除く部分（以後、厚肉部１６Ｋと称する）は、姿勢保持具１０の表面１４の大部分を占め、厚肉部１６Ｋの表面が姿勢保持具１０の表面１４の湾曲形状を形成している。厚肉部１６Ｋの厚さ寸法は、ベース部１５の厚さ寸法よりも大きく、全体において概ね一定の寸法とされている。
【００１７】
姿勢保持具１０の裏面には、図３に示すように、一対の脚部１７が設けられている。一対の脚部１７は、臀部支持部１１の後端寄りの位置に突設されている。一対の脚部１７は、ベース部１５の裏面に左右対称な形状をなして一体に形成されている。
【００１８】
この一対の脚部１７によって、姿勢保持具１０は左右方向に傾くことなく椅子５０の座面５１に安定して設置される。また、姿勢保持具１０を椅子５０の座面５１に設置した状態では、臀部支持部１１が座面５１に対して後上がりで傾斜した状態になる。
【００１９】
また、姿勢保持具１０の裏面には、図３に示すように、複数箇所（本実施例では３箇所）に滑り止め部１８が設けられている。滑り止め部１８は、臀部支持部１１の左右方向における中央部と、その両側に一対とが設けられている。中央部に設けられた滑り止め部１８は、他の一対の滑り止め部１８よりも後方にずれて配され、一対の脚部１７の前端と前後方向の位置がほぼ揃っている。
【００２０】
滑り止め部１８は、ゴム等によって形成された略円形の薄板状をなす本体部１９と、本体部１９の一面に立設された一対の係止部２１とを備えている（図８参照）。一対の係止部２１は対向配置されるとともに、その先端には、ベース部１５に設けられた係止孔２３に係止可能な係止爪２２が設けられている。
【００２１】
ベース部１５の係止孔２３は、ベース部１５を表裏方向に貫通している。係止孔２３のうち裏面側の端部には、滑り止め部１８の本体部１９が嵌合可能な略円形をなす嵌合凹部２４が凹み形成されている。また、係止孔２３のうち表面側の端部には、係止爪２２が係止可能な係止受け部２５が形成されている。そして、一対の係止部２１を係止孔２３に差し入れると、係止爪２２が係止受け部２５に係止し、本体部１９が嵌合凹部２４に嵌合して滑り止め部１８がベース部１５に固定される。滑り止め部１８は、本体部１９の厚さ方向における一部が嵌合凹部２４から裏側に突出した状態で固定される。
【００２２】
さて、臀部支持部１１は、着座者４０の臀部４１に沿うように湾曲している。詳しくは、臀部支持部１１は、図１０に示すように、左右方向における中央部よりも両側縁部が表側に位置するように湾曲した形状をなすとともに、図９に示すように、前部よりも後部が上側に位置するように湾曲した形状をなしている。すなわち、臀部支持部１１は、全体として球面をなして裏面側に凹んだ形状をなしている。
【００２３】
大腿支持部１２は、臀部支持部１１の前方に設けられている。大腿支持部１２は、図１１に示すように、全体として左右方向における中央部よりも両側縁部が表側に位置するように湾曲した形状をなしている。
【００２４】
また、大腿支持部１２には、左右方向における中央部に突出部２６が設けられている。この突出部２６によって、着座者４０の臀部４１が前方に滑って姿勢が崩れることを防ぐことができる。そして、突出部２６を間にした左右両側には、着座者４０の大腿４２に沿うように湾曲して凹んだ凹部２７が形成されている。
【００２５】
大腿支持部１２の左右方向における中央部には、図７に示すように、切り込み部（以後、下切り込む部２８と称する）が形成されている。下切り込み部２８は、大腿支持部１２の前縁部が後側に切り込まれて形成されている。下切り込み部２８は、前側が広いＶ字形状をなしている。下切り込み部２８の後端は、突出部２６の近傍に至っている。
【００２６】
腰部支持部１３は、図７に示すように、左右方向における中央部よりも両側縁部が表側に位置するように湾曲した形状をなすとともに、図５に示すように、下部よりも上部が前側に位置するように湾曲した形状をなしている。そして、図２に示すように、腰部支持部１３の左右方向の寸法は臀部支持部１１の左右方向の寸法よりも小さくされている。
【００２７】
腰部支持部１３は、図１０に示すように、着座者４０の腸骨４４の左右方向の寸法と同等の幅寸法を有するとともに、上端が腸骨４４の上部近傍に位置するだけの高さ寸法を有し、腸骨４４を適切に支持することが可能となっている。具体的には、腰部時支部１３の上端は、椅子５０の座面５１から約２０ｃｍの高さに位置する。
【００２８】
腰部支持部１３の外縁は、腸骨４４の外縁に沿うように湾曲し、また腰部支持部１３の表面１４は、腸骨４４の後面に沿うように湾曲している。すなわち、腰部支持部１３を前側から見ると、腰部支持部１３の上縁および左右両側縁が腸骨４４の上縁および左右両側縁に沿うように湾曲し、上側から見ると、図７に示すように、腰部支持部１３の表面１４が腸骨４４の後面に沿うように後方に膨らむように湾曲している。なお、腰部支持部１３の上縁および左右両側縁に沿う部分には、薄肉部１６Ｎによって分断されることなく連続して厚肉部１６Ｋが配置されている（図１１参照）。
【００２９】
そして、腰部支持部１３の左右方向における中央部には、図１０に示すように、切り込み部（以後、上切り込み部２９と称する）が形成されている。上切り込み部２９は、腰部支持部１３の上縁部が下側に切り込まれて形成されている。上切り込み部２９は、上側が広いＶ字形状をなしている。上切り込み部２９の下端は、着座者４０の仙骨４５と同等の高さ位置に至っている。上切り込み部２９により、腰部支持部１３は、左右に分割された形態をなしている。
【００３０】
また、臀部支持部１１と腰部支持部１３との境界部には、図２に示すように、切り込み部（以後、左右切り込み部３１と称する）が形成されている。左右切り込み部３１は、姿勢保持具１０の左右両側縁部が中央側に切り込まれて形成されている。左右切り込み部３１は、左右両側が広いＶ字形状をなしている。
【００３１】
腰部支持部１３において左右に分割されてなる一対の分割体１３Ｓは、上切り込み部２９と左右切り込み部３１とによって、一対の腸骨４４と類似した形状に形成されている。一対の分割体１３Ｓは、それぞれが概ね斜め方向に延びる片持ち形状、詳しくは、各分割体１３Ｓの先端側が自由端、反対側（上切り込み部２９の下端と左右切り込み部３１の中央側の端との間に配される部分）が固定端とされた片持ち形状をなしている。これにより、腰部支持部１３は前後方向および左右方向に弾性変形しやすくなっている。すなわち、各分割体１３Ｓが表裏方向に弾性変位することによって、その先端部は左右方向および前後方向に変位する。
【００３２】
なお、上下左右に形成されたいずれの切り込み部２８，２９，３１においても、切り込み深さよりも切り込み幅が大きい形状をなしている。すなわち、下切り込み部２８は、前後方向の寸法よりも左右方向の寸法が大きく（図７参照）、上切り込み部２９は、上下方向の寸法よりも左右方向の寸法が大きく（図１１参照）、左右切り込み部３１は、左右方向（前後方向）の寸法よりも上下方向の寸法が大きくされている（図４参照）。
【００３３】
次に、本実施例の姿勢保持具１０を使用する場合の一例について説明する。
まず、姿勢保持具１０を使用したい場所に運ぶ。このとき、姿勢保持具１０は、腰部支持部１３の幅寸法および高さ寸法がともに小さくされて全体がコンパクト化され、さらに四方に切り込み部２８，２９，３１が形成されているから、かなり軽量化されている。したがって、容易に姿勢保持具１０を持ち運ぶことかできる。
【００３４】
そして、姿勢保持具１０を椅子５０の座面５１に載置する。すると、姿勢保持具１０は、一対の脚部１７によって適正な姿勢で座面５１に設置される。詳しくは、姿勢保持具１０は、臀部支持部１１が後ろ上がりに傾いた姿勢で設置される。なお、着座者４０の体重によってこのような前傾姿勢に正されるものとしてもよい。
【００３５】
次いで、着座者４０が姿勢保持具１０に着座する。すると、図１０に示すように、着座者４０の臀部４１が臀部支持部１１によって左右両側から支持されることにより、臀部４１が左右方向に正しい位置に保持される。また、臀部支持部１１の傾斜によって、臀部４１が後ろ上がりの姿勢で保持されることにより、着座者４０の骨盤が後側に倒れることなく立ち上がった状態になり、それに伴って背骨が前後方向に緩やかに湾曲して立ちあがった状態になる（図９参照）。したがって、背骨が大きく湾曲して猫背のような姿勢になることを防ぐことができる。
【００３６】
また、図１１に示すように、着座者４０の大腿４２が大腿支持部１２の各凹部２７に支持されることにより左右方向に正しい位置に定まり、略平行をなす状態に保持される。
【００３７】
そして、着座者４０の腰部４３が腰部支持部１３によって左右後方両側から支持される。腰部支持部１３は、一対の分割体１３Ｓが若干後方に弾性変形し、着座者４０の腸骨４４の上部および左右両側縁部を後方から包むようにして腰部４３を押圧する。これにより、着座者４０の腸骨４４が左右方向に振れたり前後方向に傾くことが規制され、正しい位置に保持される。こうして腸骨４４が正しい位置に保持されることにより骨盤の歪みが正され、着座者４０の姿勢が正しい状態に保持される。なお、着座者４０の体型によっては、腰部支持部１３が弾性変形することなく着座者４０の腰部４３を押圧する。
こうして、着座者４０の姿勢は姿勢保持具１０により正しい状態に保持される。
【００３８】
次に、上記のように構成された実施例の作用および効果について説明する。
本実施例の姿勢保持具１０は、着座者４０の臀部４１に沿うように湾曲した表面１４を有して着座者４０の臀部４１を支持する臀部支持部１１と、左右方向の寸法が着座者４０の左右の腸骨４４の左右方向の寸法と同等であって臀部支持部１１の左右方向の寸法よりも小さい寸法とされ、左右方向における中央部よりも両側縁部が表側に位置するように湾曲した表面１４を有して着座者４０の腰部４３を支持する腰部支持部１３と、を備えている。
【００３９】
この構成によれば、臀部支持部１１によって着座者４０の臀部４１が正しい位置に保持され、腰部支持部１３によって着座者４０の腸骨４４が左右後方両側から支持されることにより着座者４０の腰部４３が左右方向に正しい位置に保持されるから、着座者４０の姿勢を正しい状態に保持することができ、また、腰部支持部１３の幅寸法が小さく抑えられているから軽量化することができる。すなわち、着座者４０の姿勢を正しい状態に保持する機能を備えたまま軽量化することができる。
【００４０】
また、腰部支持部１３の上端が、腸骨４４の上部近傍に位置している。この構成によれば、腰部支持部１３が着座者４０の腸骨４４を適切に支持することができ、かつその高さ寸法を小さく抑えることができるから、着座者４０の姿勢を正しい状態に保持する機能を備えたまま、より軽量化することができる。
【００４１】
また、臀部支持部１１の前方に、左右方向における中央部よりも両側縁部が表側に位置するように湾曲した表面１４を有して着座者４０の大腿４２を支持する大腿支持部１２が備えられている。この構成によれば、着座者４０の大腿４２が左右両側から支持されるから、大腿４２が左右方向に開くことを防ぐことができる。
【００４２】
また、臀部支持部１１と腰部支持部１３との境界部に、左右方向における両側縁部が中央側に切り込まれて左右切り込み部３１が形成されている。この構成によれば、臀部支持部１１および腰部支持部１３の弾性力が増すとともに、左右切り込み部３１を形成した分だけ軽量化されるから、臀部支持部１１および腰部支持部１３を着座者４０の体型に追従しやすくすることができ、かつさらなる軽量化を図ることができる。
【００４３】
また、腰部支持部１３の左右方向における中央部に、上縁部が下側に切り込まれて上切り込み部２９が形成されている。この構成によれば、腰部支持部１３の弾性力が増すとともに、上切り込み部２９を形成した分だけ軽量化されるから、腰部支持部１３を着座者４０の体型に追従しやすくすることができ、かつさらなる軽量化を図ることができる。
【００４４】
また、大腿支持部１２の左右方向における中央部に、前縁部が後側に切り込まれて下切り込み部２８が形成されている。この構成によれば、大腿支持部１２の弾性力が増すとともに、下切り込み部２８を形成した分だけ軽量化されるから、大腿支持部１２を着座者４０の体型に追従しやすくすることができ、かつさらなる軽量化を図ることができる。
【００４５】
＜他の実施例＞
本発明は上記記述及び図面によって説明した実施例に限定されるものではなく、例えば次のような実施例も本発明の技術的範囲に含まれる。
（１）上記実施例では、ベース部１５が、表面１４の湾曲形状と概ね同じように湾曲した形状に形成されるとともに厚さ寸法が一定で薄いものとされているが、これに限らず、例えば表面を姿勢保持具の表面に沿った湾曲面にして裏面をフラットな面としてもよく、また、表裏両面をフラットな面としてクッション部の厚さ寸法を変えることによって姿勢保持具の表面形状を形成するようにしてもよい。
（２）上記実施例では、腰部支持部１３の上端が、腸骨４４の上部近傍に位置しているが、これに限らず、腰部支持部の上端が腸骨よりも上方の位置に配されるようにしてもよい。
（３）上記実施例では、姿勢保持具１０が大腿支持部１２を備えているが、必ずしも大腿支持部を備えなくてもよい。
（４）上記実施例では、切り込み部２８，２９，３１が姿勢保持具１０の上下左右に形成されているが、必ずしもすべての切り込み部を設けなくてもよい。
（５）上記実施例では、腰部支持部１３の表面は、左右方向における中央部よりも両側縁部が表側に位置するように湾曲した形状をなすとともに、下部よりも上部が前側に位置するように湾曲した形状をなしているが、必ずしも腰部支持部の表面は湾曲していなくてもよく、例えば腰部支持部の表面は、各方向において浅いＶ字形状やＵ字形状等をなすものとしてもよい。
【符号の説明】
【００４６】
１０…姿勢保持具
１１…臀部支持部
１２…大腿支持部
１３…腰部支持部
１４…表面
２８…下切り込み部（切り込み部）
２９…上切り込み部（切り込み部）
３１…左右切り込み部（切り込み部）
４０…着座者
４１…臀部
４２…大腿
４３…腰部
４４…腸骨
【図１】
2016198420.tif 000003
【図２】
2016198420.tif 000004
【図３】
2016198420.tif 000005
【図４】
2016198420.tif 000006
【図５】
2016198420.tif 000007
【図６】
2016198420.tif 000008
【図７】
2016198420.tif 000009
【図８】
2016198420.tif 000010
【図９】
2016198420.tif 000011
【図１０】
2016198420.tif 000012
【図１１】
2016198420.tif 000013